(57)【要約】【課題】香り発散機構を有する折畳み式携帯端末において、電池を消耗させることなく、香りを確実且つ十分に発散できるようにする。【解決手段】第１の筐体と第２の筐体とが開閉可能に連結された香り発散機構８を有する折畳み式携帯電話機において、第２の筐体に芳香物質９を収容すると共に、少なくとも１つの通気孔１９に連通する芳香物質収容部１０を設ける。ピストン１１を第１の筐体と第２の筐体とを開閉する動作に伴って作動させ、芳香物質収容部１０に収容された芳香物質９を含む空気を押し出して通気孔１９から排出させる。【選択図】図１
2012156786.tif 000002
【特許請求の範囲】
【請求項１】
第１の筐体と第２の筐体とが開閉可能に連結され、香り発散機構を有する折畳み式携帯端末において、
上記香り発散機構は、
上記第１の筐体又は上記第２の筐体に形成され、芳香物質を収容すると共に、少なくとも１つの通気孔に連通する芳香物質収容部と、
上記芳香物質収容部に収容された芳香物質を含む空気を押し出して上記通気孔から排出させるピストンとを備え、
上記ピストンは、上記第１の筐体と第２の筐体とを開閉する動作に伴って作動するように構成されている
ことを特徴とする香り発散機構を有する折畳み式携帯端末。
【請求項２】
請求項１に記載の香り発散機構を有する折畳み式携帯端末において、
上記第１の筐体と上記第２の筐体とを折畳み開閉可能に連結するヒンジ軸を備え、
上記ピストンは、上記ヒンジ軸の回転に伴って作動するように構成されている
ことを特徴とする香り発散機構を有する折畳み式携帯端末。
【請求項３】
請求項１又は２に記載の香り発散機構を有する折畳み式携帯端末において、
上記香り発散機構は、上記第１の筐体を第２の筐体に対して開いたときに上記通気孔を開き、上記第１の筐体を第２の筐体に対して閉じたときに上記通気孔を閉じる通気孔開閉蓋を備え、該通気孔開閉蓋は、上記ピストンと連動するように構成されている
ことを特徴とする香り発散機構を有する折畳み式携帯端末。
【請求項４】
請求項３に記載の香り発散機構を有する折畳み式携帯端末において、
上記ヒンジ軸の外周には、長手方向中間部分が折り曲げられた帯状部材の該長手方向中間部分が連結され、
上記ピストンは、上記帯状部材の一端に設けられ、上記通気孔開閉蓋は、該帯状部材の他端に設けられている
ことを特徴とする香り発散機構を有する折畳み式携帯端末。
【請求項５】
請求項１乃至４のいずれか１つに記載の香り発散機構を有する折畳み式携帯端末において、
上記ピストンが移動するピストン受圧室と、
上記ピストン受圧室と上記芳香物質収容部とを仕切り、流入孔が開口された流入側隔壁と、
上記芳香物質収容部から押し出されてきた芳香物質を含む空気が流入し、上記通気孔に連通する空気排出室と、
上記空気排出室と上記芳香物質収容部とを仕切り、排出孔が開口された排出側隔壁とを備えている
ことを特徴とする香り発散機構を有する折畳み式携帯端末。
【請求項６】
請求項１乃至５のいずれか１つに記載の香り発散機構を有する折畳み式携帯端末において、
折畳み式携帯電話機であり、
上記通気孔の位置は、通話時にユーザの鼻の近傍に位置するように設定されている
ことを特徴とする香り発散機構を有する折畳み式携帯端末。
【発明の詳細な説明】
【技術分野】
【０００１】
本発明は、第１の筐体と第２の筐体とが開閉可能に連結され、香り発散機構を有する折畳み式携帯端末に関し、特に芳香物質からの香りの発散を電池等の電力を使用しないで促進するものに関する。
【背景技術】
【０００２】
従来より、携帯端末、特に携帯電話機は、日常生活で身近に触れるものであり、様々な機能が付加されてきた。
【０００３】
例えば、特許文献１の折畳み式携帯電話機では、ヒンジ機構を構成する駒部の内部に一端が開口して芳香部材を挿脱することが可能な装入室が形成され、この装入室の開口部は、着脱操作可能な栓部材によって塞がれており、駒部には、蓋体を開くことによって露出する位置に、装入室に通じる小孔が開設されている。
【０００４】
また、特許文献２では、折畳み式携帯電話機のヒンジ部に噴射ノズル部を配置し、蓋部と本体部とを重ね合わせて折り畳んだ閉じた状態から、ヒンジ部が形成する回動軸を中心として蓋部と本体部を相互に回動させて開いた状態とする動作に連動して、ヒンジ部の内部に設けられた液体噴射構造によって、噴射ノズル部から液体が噴射されるように構成されている。
【０００５】
また、特許文献３の携帯端末では、芳香物質を貯蔵する芳香物質貯蔵部と、この芳香物質貯蔵部に貯蔵された芳香物質に風又は機械的振動を与えて香りを発散させる香り発散手段とを備えている。
【先行技術文献】
【特許文献】
【０００６】
【特許文献１】特開２００２−２９０５２５公報
【特許文献２】特開２００６−１９７９４号公報
【特許文献３】特開２００７−６０４３３号公報
【発明の概要】
【発明が解決しようとする課題】
【０００７】
しかしながら、特許文献１の折畳み式携帯電話機では、香りの発散を促進させる機能がなく香りが十分に広がらないという問題がある。
【０００８】
また、特許文献２の折畳み式携帯電話機では、液体を噴射させるようにしているので、ユーザの顔に液体が付着して不快な思いをしたり、電気回路部品が短絡したりするという問題がある。
【０００９】
さらに、特許文献３の携帯端末では、着信を知らせるバイブレータのモータを回転させることで風を起こして香り成分を発散させるようにしているので、ユーザの手に不必要に振動が伝わって不快であったり、電池を早く消耗させたりする問題がある。
【００１０】
本発明は、かかる点に鑑みてなされたものであり、その目的とするところは、電池を消耗させることなく、香りを確実且つ十分に発散できるようにすることにある。
【課題を解決するための手段】
【００１１】
上記の目的を達成するために、この発明では、折畳み式携帯端末の開閉動作に伴う機構の作用により、香りを発散させるようにした。
【００１２】
具体的には、第１の発明では、第１の筐体と第２の筐体とが開閉可能に連結され、香り発散機構を有する折畳み式携帯端末を前提とする。
【００１３】
そして、上記香り発散機構は、
上記第１の筐体又は上記第２の筐体に形成され、芳香物質を収容すると共に、少なくとも１つの通気孔に連通する芳香物質収容部と、
上記芳香物質収容部に収容された芳香物質を含む空気を押し出して上記通気孔から排出させるピストンとを備え、
上記ピストンは、上記第１の筐体と第２の筐体とを開閉する動作に伴って作動するように構成されている。
【００１４】
上記の構成によると、第１の筐体と第２の筐体とを開閉する動作に伴ってピストンが作動して芳香物質収容部内の芳香物質を含む空気が通気孔から押し出されるので、電池を消耗させることなく、効果的に芳香物質の発散が促進される。
【００１５】
第２の発明では、第１の発明において、
上記第１の筐体と上記第２の筐体とを折畳み開閉可能に連結するヒンジ軸を備え、
上記ピストンは、上記ヒンジ軸の回転に伴って作動するように構成されている。
【００１６】
上記の構成によると、第１の筐体と第２の筐体とを開閉するときにヒンジ軸が回転し、このヒンジ軸の回転を利用してピストンが動いて芳香物質収容部内の芳香物質が発散されるので、電池を消耗させることなく、必要なときにだけ、芳香物質の発散を促進させることができる。
【００１７】
第３の発明では、第１又は第２の発明において、
上記香り発散機構は、上記第１の筐体を第２の筐体に対して開いたときに上記通気孔を開き、上記第１の筐体を第２の筐体に対して閉じたときに上記通気孔を閉じる通気孔開閉蓋を備え、該通気孔開閉蓋は、上記ピストンと連動するように構成されている。
【００１８】
上記の構成によると、折畳み式携帯電話機を使用するために第１の筐体を第２の筐体に対して開いたときのみ通気孔開閉蓋が開くので、芳香物質が不必要に発散して不快な思いをしたり、芳香物質の消耗を早めたりすることはない。また、通気孔開閉蓋とピストンとが連動するので、確実に芳香物質を含む空気を通気孔から発散させることができる。
【００１９】
第４の発明では、第３の発明において、
上記ヒンジ軸の外周には、長手方向中間部分が折り曲げられた帯状部材の該長手方向中間部分が連結され、
上記ピストンは、上記帯状部材の一端に設けられ、上記通気孔開閉蓋は、該帯状部材の他端に設けられている。
【００２０】
上記の構成によると、簡単な構成でピストンと通気孔開閉蓋とをヒンジ軸の回転に合わせて確実に連動させることができる。また、ピストンと通気孔開閉蓋とを厚さの薄い帯状の部材で連結することができるので、発生機構の厚さを抑えることができる。
【００２１】
第５の発明では、第１乃至第４のいずれか１つの発明において、
上記ピストンが移動するピストン受圧室と、
上記ピストン受圧室と上記芳香物質収容部とを仕切り、流入孔が開口された流入側隔壁と、
上記芳香物質収容部から押し出されてきた芳香物質を含む空気が流入し、上記通気孔に連通する空気排出室と、
上記空気排出室と上記芳香物質収容部とを仕切り、排出孔が開口された排出側隔壁とを備えている。
【００２２】
上記の構成によると、芳香物質収容部がピストン受圧室に対して流入側隔壁で仕切られているので、芳香物質が綿などに含浸させた液体のときでも、芳香物質そのものを押し出して通気孔から排出してしまうおそれがない。また、空気排出室と芳香物質収容部とが排出側隔壁で仕切られているので、仮に不使用時に激しい振動などで一時的に液体の芳香物質が排出孔から空気排出室へ流れ出ても通気孔が閉じられているので、液体のまま外部に流れ出るのが防止される。
【００２３】
第６の発明では、第１乃至第５のいずれか１つの発明において、
折畳み式携帯電話機であり、
上記通気孔の位置は、通話時にユーザの鼻の近傍に位置するように設定されている。
【００２４】
上記の構成によると、折畳み式携帯電話機で通話するときに第１の筐体を第２の筐体に対して開くと芳香物質が通話時のユーザの鼻の近くで発散されるので、芳香物質が効果的にユーザに届く。
【発明の効果】
【００２５】
以上説明したように、本発明によれば、ピストンを第１の筐体と第２の筐体との開閉動作に伴って作動させて芳香物質収容部に収容された芳香物質を含む空気を押し出して通気孔から排出させるようにしているので、電池を消耗させることなく、香りを確実且つ十分に発散できる。
【図面の簡単な説明】
【００２６】
【図１】本実施形態の香り発散機構が芳香物質を含む空気を押し出す様子を拡大して示す断面図である。
【図２】折畳み式携帯電話機の閉じた状態を示す斜視図である。
【図３】折畳み式携帯電話機の開いた状態を示す斜視図である。
【図４】香り発散機構が見える部分で切断した図２のIV−VI線断面図である。
【図５】折畳み式携帯電話機を閉じたときの図１相当図である。
【図６】折畳み式携帯電話機を用いてユーザが通話する様子を示す斜視図である。
【図７】ヒンジ軸の回転に伴ってピストンと通気孔開閉蓋とが連動する機構を示す説明図である。
【図８】折畳み式携帯電話機が開き状態へ移行するときの香り発生装置の動きを示す図１相当図である。
【発明を実施するための形態】
【００２７】
以下、本発明の実施形態を図面に基づいて説明する。
【００２８】
図２及び図３は本発明の実施形態の香り発散機構８を有する折畳み式携帯端末としての折畳み式携帯電話機１を示し、この折畳み式携帯電話機１は、受話部２を有する第１の筐体３と、送話部４を有する第２の筐体５と、これら第１の筐体３と第２の筐体５とを開閉可能に連結するヒンジ軸６とを備えている。このヒンジ軸６を中心に第２の筐体５に対して第１の筐体３が回動することで、折畳み式携帯電話機１が、図２に示す第１の筐体３が第２の筐体５に対して閉じた閉じ状態と、図３に示す第１の筐体３が第２の筐体５に対して開く開き状態とに開閉操作されるようになっている。
【００２９】
そして、図４に示すように、折畳み式携帯電話機１は、例えば、第２の筐体５側に芳香物質９の拡散を促進させる香り発散機構８を備えている。芳香物質９は、第２の筐体５に設けられた芳香物質収容部１０に収容されている。芳香物質９は、香水などの液体の場合、例えば綿、フェルト、不織布などに含浸させればよく、その芳香物質９を含浸させた綿等を芳香物質収容部１０に収容するとよい。固形や半固形の液だれしない芳香物質９であれば、そのまま芳香物質収容部１０に収容してもよい。
【００３０】
図５に拡大して示すように、香り発散機構８は、第２の筐体５における芳香物質収容部１０の表面側にピストン１１が移動するピストン受圧室１２を備えている。芳香物質収容部１０は、第２の筐体５の背面側にあり、その背面側が取り出しカバー１３（図５に二点鎖線で開いた状態を示す）で開閉可能に閉じられている。このことで、取り出しカバー１３を開閉して芳香物質９を簡単に交換可能となっているので、ユーザは好みの芳香物質９を選択して適宜交換することができるようになっている。
【００３１】
ピストン受圧室１２と芳香物質収容部１０とは、流入側隔壁１４で仕切られている。流入側隔壁１４には、複数の小さな流入孔１４ａが開口されている。図１に示すように、ピストン受圧室１２内でピストン１１がヒンジ軸６と反対側（図１で左側）へ移動することで、ピストン受圧室１２内の空気が押されて流入孔１４ａを通って芳香物質収容部１０へ流入するようになっている。
【００３２】
また、ピストン受圧室１２のヒンジ軸６と反対側には、中間隔壁１６でピストン受圧室１２と仕切られると共に、排出側隔壁１７で芳香物質収容部１０と仕切られた空気排出室１８が設けられている。排出側隔壁１７にも、複数の小さな排出孔１７ａが開口されている。また、この空気排出室１８の表面側には、複数の小さな通気孔１９が開口されている。このことで、ピストン１１によって空気が流入孔１４ａから流入してくることにより、芳香物質９を含む空気が排出孔１７ａから排出されて空気排出室１８に流入するようになっている。そして、通気孔１９の位置は、図６に示すように、通話時にユーザＰの鼻Ｐ１の近傍に位置するように設定されている。
【００３３】
また、ピストン１１は、上記第１の筐体３と第２の筐体５とを開閉する動作に伴って作動するように構成されている。具体的には、図７に示すように、ヒンジ軸６の外周には、長手方向中間で折り曲げられた帯状部材２０の長手方向中間部分２０ａが回転一体に連結されている。帯状部材２０は、板金や樹脂成形品で形成すればよく、長手方向中間部分２０ａの少なくとも一部がヒンジ軸６に連結されていればよい。その連結は、接着、嵌合などで行えばよい。ピストン１１は、帯状部材２０の一端２０ｂに設けられており、ピストン受圧室１２の断面に合わせ、例えば矩形板状のゴム、エラストマーなどで構成されている。帯状部材２０を樹脂で構成する場合には、ピストン１１を帯状部材２０に一体に形成してもよい。
【００３４】
そして、帯状部材２０の他端２０ｃに通気孔１９を開閉する通気孔開閉蓋２１が設けられている。通気孔開閉蓋２１は、例えば板状のもので、通気孔１９を背面側（空気排出室１８側）から覆うように構成されている。例えば、帯状部材２０が樹脂成形品のときは、通気孔開閉蓋２１を帯状部材２０に一体に成形すればよいし、板金であれば、ゴムやエラストマーなど通気孔１９を密封しやすい材料で通気孔開閉蓋２１を形成して他端２０ｃに接着すればよい。第２の筐体５に設けた一対のレール部材（図示せず）の間に通気孔開閉蓋２１をスライド移動させるようにすれば、通気孔１９を確実に塞ぐことができるので、望ましい。帯状部材２０を薄い板状のものとすることで、香り発散機構８の厚さを小さくすることができるので、第２の筐体５の厚さを増やさなくてよい。
【００３５】
このように構成することで、第１の筐体３と第２の筐体５とを折畳み開閉可能に連結するヒンジ軸６が、その開閉操作に伴って回転すると、ピストン１１と通気孔開閉蓋２１とが互いに反対の方向にスライド移動するように構成されている。これにより、通気孔開閉蓋２１によって、通気孔１９は、第１の筐体３を第２の筐体５に対して開いたときに開き、第１の筐体３を第２の筐体５に対して閉じたときに閉じるように構成されている。
【００３６】
なお、通気孔１９は、ヒンジ軸６と反対側端部、すなわち、通気孔開閉蓋２１の先端側（図５でＡで示す範囲）には設けられていない。このことで、携帯時等に何かのはずみでヒンジ軸６が少しだけ回転して通気孔開閉蓋２１が少し動いたとしても通気孔１９を開放させることはない。
【００３７】
−香り発散機構の作用−
次に、本実施形態にかかる香り発散機構８の作用について説明する。
【００３８】
まず、図２に示すように、折畳み式携帯電話機１の不使用時や待機時には、第１の筐体３は第２の筐体５に対して閉じられており、香り発散機構８は図５に示すようにピストン１１がヒンジ軸６側（図５の右側）に上昇し、通気孔開閉蓋２１がヒンジ軸６と反対側（図５の左側）に下降している。このことで、通気孔開閉蓋２１が通気孔１９を内側から完全に覆っている。このため、芳香物質９が外部に漏れることはなく、携帯時に鞄の中で芳香物質９が流れ出たり、必要のないときに芳香物質９が匂ったりすることはない。また、このため、芳香物質９がすぐになくなってしまうことが避けられ、芳香物質９が長持ちする。
【００３９】
そして、ユーザＰが折畳み式携帯電話機１を使用するために、図３に示すように、第１の筐体３を第２の筐体５に対して開く操作を行うと、図５に示す位置にあったピストン１１と通気孔開閉蓋２１とが図１に示すように徐々に移動する。すなわち、第１の筐体３を第２の筐体５に対して開くと、図７に示すように、ヒンジ軸６が時計回りに回転し、その回転に合わせてピストン１１がヒンジ軸６と反対側へ下降すると共に、通気孔開閉蓋２１がヒンジ軸６側へ上昇する。
【００４０】
すると、ピストン１１の動きに伴ってピストン受圧室１２内の空気が流入孔１４ａを通って芳香物質収容部１０へ流入する。
【００４１】
次いで、芳香物質収容部１０内に空気が流入してくることにより、芳香物質９を含む空気が排出孔１７ａから排出されて空気排出室１８に流入する。このとき、通気孔開閉蓋２１も同時にヒンジ軸６側へ上昇して通気孔１９が開放されているので、芳香物質９を含む空気が通気孔１９から第２の筐体５の外部へ放出される。図１及び図５において、第１の筐体３を第２の筐体５に対して開くときに、ピストン１１に押し出された空気の大まかな流れを白抜き矢印で示す。
【００４２】
このようにヒンジ軸６の回転に伴ってピストン１１と通気孔開閉蓋２１とが互いに反対方向にスライド移動しながら、最後には図８の状態になって、通気孔１９が全て開放される。
【００４３】
そして、ユーザＰが通話をするために図６に示すように耳Ｐ２の近くに受話部２を押し当てると、通気孔１９がユーザＰの鼻Ｐ１の近くに来るので、芳香物質９が効果的にユーザに届く。
【００４４】
通話後に第１の筐体３を第２の筐体５に対して閉じると、逆に図７で反時計回りにヒンジ軸６が回転し、ピストン１１が元の位置に上昇し、通気孔開閉蓋２１が元の位置に下降して通気孔１９を完全に塞ぐ。
【００４５】
なお、芳香物質９を交換するときには、図５に二点鎖線で示すように、取り出しカバー１３を開いて芳香物質９を取り出したり挿入したりする。
【００４６】
このように、ヒンジ軸６の回転を利用してピストン１１及び通気孔開閉蓋２１が動いて芳香物質収容部１０内の芳香物質９が発散されるので、電池を消耗させることなく、必要なときにだけ、芳香物質９の発散を促進させることができる。また、折畳み式携帯電話機１を使用するために第１の筐体３を第２の筐体５に対して開いたときのみ通気孔開閉蓋２１が開くので、芳香物質９が不必要に発散して不快な思いをしたり、芳香物質９がすぐになくなったりすることはない。
【００４７】
そして、帯状部材２０の一端２０ｂにピストン１１を設け、他端２０ｃに通気孔開閉蓋２１を設けているので、ピストン１１と通気孔開閉蓋２１とを確実に連動させることができる。
【００４８】
さらには、第１の筐体３の表面に突起物を設けて折畳み式携帯電話機１を閉じたときに、その突起物で表面側から通気孔１９を塞ぐように構成してしまうと、少しでも第１の筐体３が第２の筐体５に対して開くと、通気孔１９が開いてしまうが、本実施形態では、通気孔１９をヒンジ軸６と反対側端部（図５の範囲Ａ）には設けていないので、意図せず少しだけ第１の筐体３が第２の筐体５に対して開いたとしても、依然として通気孔開閉蓋２１が通気孔１９の全てを覆っているので、芳香物質９が漏れ出すことはない。
【００４９】
また、芳香物質収容部１０がピストン受圧室１２と流入側隔壁１４によって仕切られているので、芳香物質９が綿などに含浸させた液体のときでも、ピストン１１が芳香物質９そのものを押し出して通気孔１９から流れ出てしまうおそれがない。また、空気排出室１８と芳香物質収容部１０とが排出側隔壁１７で仕切られているので、仮に不使用時に激しい振動などで一時的に芳香物質９が排出孔１７ａから空気排出室１８へ流れ出ても通気孔１９が通気孔開閉蓋２１によって閉じられているので、外部に流れ出ることはない。
【００５０】
したがって、本実施形態にかかる香り発散機構８を有する折畳み式携帯電話機１によると、ピストン１１を第１の筐体３と第２の筐体５との開閉動作に伴って作動させて芳香物質収容部１０に収容された芳香物質９を含む空気を押し出して通気孔１９から排出させるようにしているので、電池を消耗させることなく、香りを確実且つ十分に発散できる。
（その他の実施形態）
本発明は、上記実施形態について、以下のような構成としてもよい。
【００５１】
すなわち、上記実施形態では、折畳み式携帯端末は、折畳み式携帯電話機１としたが、通話可能な折畳み式のＰＨＳ（Personal Handy-phone System ）、スマートフォン等でもよく、通話可能でないＰＤＡ(Personal Digital Assistant)、パソコン、モバイルツール、電子辞書、電卓、ゲーム機等であっても折畳み式のものであればよい。
【００５２】
なお、以上の実施形態は、本質的に好ましい例示であって、本発明、その適用物や用途の範囲を制限することを意図するものではない。
【符号の説明】
【００５３】
１      折畳み式携帯電話機（折畳み式携帯端末）
３      第１の筐体
５      第２の筐体
６      ヒンジ軸
８      香り発散機構
９      芳香物質
１０      芳香物質収容部
１１      ピストン
１２      ピストン受圧室
１４      流入側隔壁
１４ａ    流入孔
１７      排出側隔壁
１７ａ    排出孔
１８      空気排出室
１９      通気孔
２０      帯状部材
２０ａ    長手方向中間部分
２０ｂ    一端
２０ｃ    他端
２１      通気孔開閉蓋
【図１】
2012156786.tif 000003
【図２】
2012156786.tif 000004
【図３】
2012156786.tif 000005
【図４】
2012156786.tif 000006
【図５】
2012156786.tif 000007
【図６】
2012156786.tif 000008
【図７】
2012156786.tif 000009
【図８】
2012156786.tif 000010